(57)【特許請求の範囲】
【請求項１】
住宅展示場等の住宅設計に関する知識を習得する場所に配置する装置であって、一方の柱７と他方の柱６の２本の柱の間に通路を構成し、
前記一方の柱７の下方に蝶番９・９を構成し、該蝶番９・９により一段敷居板１と二段敷居板２の両方を枢支し、一段敷居板１と二段敷居板２を別々に回動して、敷居の状態と収納の状態に切換可能に構成し、
該敷居板は一段敷居板１のみを回動する場合と、一段敷居板１と二段敷居板２の両方を回動した場合とで、敷居の高さを変更すべく複数段に載置可能とし、
該一段敷居板１と二段敷居板２を、収納時には一端の蝶番９・９を中心に、上方へ回動して、一方の柱７に沿った状態で収納固定すべく構成したことを特徴とする住宅の敷居高さ体験装置。
【発明の詳細な説明】
【０００１】
【発明の属する技術分野】
本発明は、住宅展示場等の住宅設計に関する知識を習得する場所に配置することにより、これから住宅を建設しようとする住宅建築予定者が体験することにより、出来るだけ高齢者や障害者が住みやすい住宅にする為の設計情報を得る為の装置に関する。
【０００２】
【従来の技術】
従来から住宅を設計する場合には、敷居の高さ等は住宅設計技術者が勝手に決めることであり、住宅建築予定者の側が指定するような項目ではなかったのである。
しかし、高齢者社会の到来により、将来も同じ家に高齢者として生活する場合を考慮して、若い時から高齢者や障害者が住みやすい家に設計することが日常的に行われるようになってきたのである。
【０００３】
【発明が解決しようとする課題】
このような現状において、現在は若くて元気の良い住宅建築予定者が、将来、高齢者や障害者になった場合を予測して、敷居の高さを体験し、この体験に基づいて敷居を低くした設計を織り込むことが出来るようにする為の装置を提供する。
【０００４】
【課題を解決するための手段】
本発明が解決しようとする課題は以上の如くであり、次に該課題を解決するための手段を説明する。
住宅展示場等の住宅設計に関する知識を習得する場所に配置する装置であって、一方の柱７と他方の柱６の２本の柱の間に通路を構成し、前記一方の柱７の下方に蝶番９・９を構成し、該蝶番９・９により一段敷居板１と二段敷居板２の両方を枢支し、一段敷居板１と二段敷居板２を別々に回動して、敷居の状態と収納の状態に切換可能に構成し、該敷居板は一段敷居板１のみを回動する場合と、一段敷居板１と二段敷居板２の両方を回動した場合とで、敷居の高さを変更すべく複数段に載置可能とし、該一段敷居板１と二段敷居板２を、収納時には一端の蝶番９・９を中心に、上方へ回動して、一方の柱７に沿った状態で収納固定すべく構成したものである。
【０００５】
【発明の実施の形態】
次に本発明の実施の形態を説明する。
図１は本発明の住宅の敷居高さ体験装置において、敷居の無い状態で車椅子Ｗの通過状態を示す正面図、
図２は一段敷居板１のみを配置して、体験者Ｍが歩いて通過する状態の正面図である。
【０００６】
図３は一段敷居板１と二段敷居板２の両方を積み重ねた状態の正面図、
図４は一段敷居板１の先端の係合溝４と収納接着部３を示す斜視図、
図５は敷居が無い状態の住宅の敷居高さ体験装置の斜視図である。
【０００７】
図６は一段敷居板１のみが載置されている状態の斜視図、
図７は一段敷居板１と二段敷居板２により高い敷居を構成した状態の斜視図である。
【０００８】
本発明の住宅の敷居高さ体験装置は、住宅展示場等の住宅設計に関する知識を習得する場所に配置されており、該住宅展示場等を訪れる住宅建築予定者が、自由に体験可能に構成している。
一方の柱７は下方に蝶番９・９の部分を構成しており、一段敷居板１と二段敷居板２の両方を該蝶番９・９によりそれぞれ、別々に回動して敷居の状態と、収納の状態に切換可能に構成している。
【０００９】
他方の柱６は壁部Ａに付設されている。該一方の柱７と他方の柱６の間に通路を構成しており、該通路に一段敷居板１と二段敷居板２を載置可能に構成している。
図１の状態では、一段敷居板１も二段敷居板２も、どちらも載置していない状態であり、敷居が低い状態を図示している。この状態であれば、車椅子Ｗも通過が可能である。
【００１０】
図２においては、一段敷居板１のみを倒して通路に載置しており、この状態では敷居の高さは約３センチとなっている。一般的な和室の引き戸の敷居等はこの程度が通常である。また図３の場合には、この一段敷居板１の上に更に二段敷居板２を載置しており、これの状態では約６センチの高さとなっている。この状態では、高齢者や障害者を想定した体験者Ｍが通過する際に乗り越えるというような作業が必要となるのである。
【００１１】
一段敷居板１は基部は蝶番９により枢支しているが、他端には収納接着部３と係合溝４が構成されている。該係合溝４は、他方の柱６の下部に突設され係合突起体５に嵌入して、一段敷居板１が敷居の状態に載置された場合に、高齢者や障害者Ｍが躓いても、一段敷居板１は移動しないように構成している。
同様に二段敷居板２の先端にも、収納接着部３と係合溝４が構成されている。該収納接着部３は、一方の柱７に平行な状態に立てて収納した際に、振動などにより予測しない時に一段敷居板１や二段敷居板２が落下することの無いように、柱７に設けた収納接着部同士を接着して、収納状態から外れ無いように構成したものである。
図５と図６と図７においては、敷居の無い状態と、一段敷居板１のみの敷居の場合と、一段敷居板１と二段敷居板２の両方の高さの敷居の場合が図示されている。
【００１２】
【発明の効果】
本発明は以上の如く構成したので、次のような効果を奏するのである。
第１に、住宅展示場等の住宅設計に関する知識を習得する場所に配置する装置であって、２本の柱の間に構成した通路に、敷居板１を脱着可能に配置し、敷居板１の無い状態と、敷居板の存在する状態の通路を構成可能としたので、住宅建築予定者がこの敷居の状態を体験することにより、将来高齢者や障害者となった場合の敷居を跨ぐことの困難さを知ることができ、長い間住むことの出来る住宅の設計に役立たせることが出来るのである。
【００１３】
第２に、該敷居板は一段敷居板１と二段敷居板２の如く、複数段に載置可能とし、敷居の高さを変更可能としたので、低い敷居と高い敷居の両方を体験することが出来るので、更に敷居を越えることの困難性を知ることが出来るのである。
【００１４】
第３に、該一段敷居板１と二段敷居板２を、収納時には一端の枢支部を中心に上下回動して、柱にそった状態で固定可能としたので、一段敷居板１や二段敷居板２を使用しない状態で外した場合に、一段敷居板１や二段敷居板２の置き場の苦慮することが無くなり、通常は唯の通路として使用することが出来るようになったのである。
【図面の簡単な説明】
【図１】本発明の住宅の敷居高さ体験装置において、敷居の無い状態で、車椅子Ｗの通過状態を示す正面図。
【図２】一段敷居板１のみを配置して、体験者Ｍが歩いて通過する状態の正面図。
【図３】一段敷居板１と二段敷居板２の両方を積み重ねた状態の正面図。
【図４】一段敷居板１の先端の係合溝４と収納接着部３を示す斜視図。
【図５】敷居が無い状態の住宅の敷居高さ体験装置の斜視図。
【図６】一段敷居板１のみが載置されている状態の斜視図。
【図７】一段敷居板１と二段敷居板２により高い敷居を構成した状態の斜視図。
【符号の説明】
１  一段敷居板
２  二段敷居板
３  収納接着部
４  係合溝
５  係合突起体
６  他方の柱
７  一方の柱
９  蝶番
Ｍ  体験者
Ｗ  車椅子
【図１】
0003617885.tif 000002
【図２】
0003617885.tif 000003
【図３】
0003617885.tif 000004
【図４】
0003617885.tif 000005
【図５】
0003617885.tif 000006
【図６】
0003617885.tif 000007
【図７】
0003617885.tif 000008